(57)【特許請求の範囲】
【請求項１】
矩形状の太陽電池パネルと、側面部と、該側面部の上端から延在する上フランジ部と、前記側面部の上端から前記太陽電池パネルの厚さ分下がった位置から延在する中フランジ部と、前記側面部の下端から延在する下フランジ部とを有し、前記上フランジ部の先端部は、前記太陽電池パネルの中央側に向かうにしたがって薄くなる傾斜面部が設けられており、前記側面部と前記上フランジ部と前記中フランジ部とで囲まれた嵌合部に前記太陽電池パネルが嵌合されて該太陽電池パネルの各辺に装着されるフレームとを備える太陽電池モジュールの各コーナー部を保護し、積み重ねられた前記太陽電池モジュール同士の間に挟み込まれる太陽電池モジュール用梱包部材であって、
前記太陽電池モジュールのコーナー部の二側面に当接する直交壁をなす側壁部と、
前記側壁部の厚さ方向の中央部から延在して下側に配置された前記太陽電池モジュールの前記コーナー部を上から覆うとともに、上側に配置された前記太陽電池モジュールの前記下フランジ部を載せ受ける天面部と、
を有し、
前記天面部は、下側に配置された前記太陽電池モジュールの前記上フランジ部の先端部に係合し横方向の移動を規制する突起を下面側に備えるとともに、前記突起は、前記上フランジ部の傾斜面部と面接触する傾斜面を備えるとともに、上側に配置された前記太陽電池モジュールに対する横方向の移動を規制する係合部を上面側に備えることを特徴とする太陽電池モジュール用梱包部材。
【請求項２】
前記係合部は、上側に配置された前記太陽電池モジュールの前記下フランジ部の先端部に係合することを特徴とする請求項１に記載の太陽電池モジュール用梱包部材。
【請求項３】
前記係合部は、前記下フランジ部の幅と同じ距離だけ前記側壁部から離れて、該側壁部と平行に立設された立ち上がり部と、該立ち上がり部の上端から前記側壁部に向かって延在する返し部とを備えることを特徴とする請求項２に記載の太陽電池モジュール用梱包部材。
【請求項４】
前記側壁部は、上下に配置された各太陽電池モジュールのコーナー部の二側面を覆うことを特徴とする請求項１から３のいずれか１項に記載の太陽電池モジュール用梱包部材。
【請求項５】
前記側壁部は、上端に切り欠きが形成されていることを特徴とする請求項１から４のいずれか１項に記載の太陽電池モジュール用梱包部材。
【発明の詳細な説明】
【技術分野】
【０００１】
本発明は、太陽電池モジュールのコーナー部に装着されて輸送中の荷ずれなどを防止する太陽電池モジュール用梱包部材に関する。
【背景技術】
【０００２】
従来、主にシリコンを原料とするウェハを用いた結晶系、或いは、シリコン又はＣＩＳ（Cupper Indium Selenium）などの化合物薄膜系の太陽電池セルを備えた太陽電池モジュールを運搬する際には、多くの場合、他の太陽電池モジュールと接触して傷付いたり、他の物品や人を傷つけたりすることを防止するために、太陽電池モジュールは包装される。
【０００３】
物品を包装するに当たっては、物品全体を包装することもあれば、物品の一部、例えば端部やコーナー部のみを包装することもあり、用途に応じた種々の包装資材（梱包部材）が開発されている。
【０００４】
特許文献１には、太陽電池モジュールの積み重ね作業と、太陽電池モジュールへのコーナー部材の装着作業とを同時に行うことができるコーナーパッドが開示されている。
【先行技術文献】
【特許文献】
【０００５】
【特許文献１】特開２０１２−２４３９６３号公報
【発明の概要】
【発明が解決しようとする課題】
【０００６】
しかしながら、特許文献１には、太陽電池モジュールの周囲に設けられる主にアルミ合金などで構成されるフレームの裏面のフランジ部にスナップ係合する構造部を有するコーナーパッドが開示されているが、太陽電池モジュールの上面にコーナーパッドを配置すると、水平方向の移動を抑制する構造部がないため、積載作業中に不用意に触れてしまうなどすると、所望の位置からずれたり落下したりする可能性がある。このため、特許文献１に開示されたコーナーパッドの上に太陽電池モジュールを積載することは好ましいとは言い難い。
【０００７】
また、特許文献１に開示されたコーナーパッドでは、上記スナップ係合部にばね性を持たせる構造上、積載されるモジュール間にある程度の空間が必要となる。その結果、太陽電池モジュール１枚当たりが専有する空間が大きくなり、例えば、輸送用トラックなどへ積載できる太陽電池モジュールの枚数が少なくなってしまう。
【０００８】
本発明は、上記に鑑みてなされたものであって、太陽電池モジュールからずれにくく、太陽電池モジュールの積層効率を高めることができる太陽電池モジュール用梱包部材を得ることを目的とする。
【課題を解決するための手段】
【０００９】
上述した課題を解決し、目的を達成するために、本発明は、矩形状の太陽電池パネルと、側面部と、側面部の上端から延在する上フランジ部と、側面部の上端から太陽電池パネルの厚さ分下がった位置から延在する中フランジ部と、側面部の下端から延在する下フランジ部とを有し、側面部と上フランジ部と中フランジ部とで囲まれた嵌合部に太陽電池パネルが嵌合されて太陽電池パネルの各辺に装着されるフレームとを備える太陽電池モジュールの各コーナー部を保護し、積み重ねられた太陽電池モジュール同士の間に挟み込まれる太陽電池モジュール用梱包部材であって、太陽電池モジュールのコーナー部の二側面に当接する直交壁と、直交壁の厚さ方向の中央部から延在して下側に配置された太陽電池モジュールのコーナー部を上から覆うとともに、上側に配置された太陽電池モジュールの下フランジ部を載せ受ける天面部と、を有し、天面部は、下側に配置された太陽電池モジュールに対する横方向の移動を規制する突起を下面側に備えるとともに、上側に配置された太陽電池モジュールに対する横方向の移動を規制する係合部を上面側に備えることを特徴とする。
【発明の効果】
【００１０】
本発明によれば、太陽電池モジュール製造後に輸送のためにパレットに積載する際に、太陽電池モジュールの各コーナー部の上面に配置することにより、フレームの上面形状に合わせた突起形状及び側壁部により位置決めされるため容易にずれることなく、上に太陽電池モジュールを配置することができ、かつ、上に配置される太陽電池モジュールのフレーム裏面に係合するため、複数枚積載した後、輸送時等の振動による荷ずれを抑制できるという効果を奏する。
【図面の簡単な説明】
【００１１】
【図１】図１は、本発明にかかる太陽電池モジュール用梱包部材の実施の形態としてのコーナーパッドを用いてパレットに太陽電池モジュールを積載した状態を示す図である。
【図２】図２は、太陽電池モジュール用梱包部材を用いて積載した太陽電池モジュールの側面図である。
【図３】図３は、太陽電池モジュール用梱包部材を用いて積載した太陽電池モジュールの部分平面図である。
【図４】図４は、太陽電池モジュール用梱包部材を用いて積載した太陽電池モジュールの部分断面図である。
【図５】図５は、コーナーパッドとフレームとの係合部分の部分断面図である。
【図６】図６は、コーナーパッドとフレームとの係合部分の部分断面図である。
【図７】図７は、パレット上に積載された二枚の太陽電池モジュールを締結バンドで締結した状態を示す図である。
【発明を実施するための形態】
【００１２】
以下に、本発明にかかる太陽電池モジュール用梱包部材の実施の形態を図面に基づいて詳細に説明する。なお、この実施の形態によりこの発明が限定されるものではない。
【００１３】
実施の形態．
図１は、本発明にかかる太陽電池モジュール用梱包部材の実施の形態としてのコーナーパッドを用いてパレットに太陽電池モジュールを積載した状態を示す図である。図２は、太陽電池モジュール用梱包部材を用いて積載した太陽電池モジュールの側面図である。図３は、太陽電池モジュール用梱包部材を用いて積載した太陽電池モジュールの部分平面図である。図４は、太陽電池モジュール用梱包部材を用いて積載した太陽電池モジュールの部分断面図であり、図３におけるＩＶ−ＩＶ線に沿った断面を示している。図５は、コーナーパッドとフレームとの係合部分の部分断面図であり、図４におけるＡ部を拡大して示している。図６は、コーナーパッドとフレームとの係合部分の部分断面図であり、図４におけるＢ部を拡大して示している。
【００１４】
第１の太陽電池モジュール１００は、太陽電池パネル１００ａと、フレーム１０１とを備える。フレーム１０１は、太陽電池パネル１００ａの外縁部を囲んで太陽電池パネル１００ａを保持する。第１の太陽電池モジュール１００は、四つのコーナー部を有しており、各コーナー部のモジュール表面側にコーナーパッド３０が配置されている。
【００１５】
太陽電池パネル１００ａは、複数の太陽電池セル（不図示）が配列されて電気的に接続された四角形の平板状部材であり、その背面には太陽電池パネル１００ａと外部負荷とを電気的に接続する端子箱（不図示）が配置されている。また、フレーム１０１は矩形枠状を呈し、太陽電池パネル１００ａを保持して、第１の太陽電池モジュール１００の設置時には架台に固定される。
【００１６】
フレーム１０１は、側面部１０４と、側面部１０４の上端から延在する上フランジ部１０１ａと、側面部１０４の下端から延在する下フランジ部１０３と、側面部１０４の上端から概ね太陽電池パネル１００ａの厚さ分下がった位置から延在する中フランジ部１２０とを有する。側面部１０４、上フランジ部１０１ａ及び中フランジ部１２０に囲まれた部分は、太陽電池パネル嵌合部１２１となっており、太陽電池パネル１００ａは、太陽電池パネル嵌合部１２１に嵌合されて保持されている。下フランジ部１０３は、第１の太陽電池モジュール１００を架台等に設置する際に固定のために用いられる。下フランジ部１０３は、側面部１０４の下端から太陽電池パネル１００ａの中央部に向かって延在し、フレーム１０１の底面をなしている。側面部１０４は、第１の太陽電池モジュール１００のコーナー部の外側面をなしている。
【００１７】
第１の太陽電池モジュール１００のフレーム１０１の上フランジ部１０１ａは、太陽電池パネル１００ａに入射する太陽光を遮らないように、太陽電池パネル１００ａの中央部に向かうにしたがって薄くなるように形成された傾斜面部１０２を先端部に有する。
【００１８】
第２の太陽電池モジュール１１０の構造は、第１の太陽電池モジュール１００と同様であり、太陽電池パネル１１０ａとフレーム１１１とを備える。フレーム１１１は、太陽電池パネル１１０ａの外縁部を囲んで太陽電池パネル１１０ａを保持する。第２の太陽電池モジュール１１０は、四つのコーナー部を有しており、各コーナー部のモジュール表面側にコーナーパッド３０が配置されている。
【００１９】
太陽電池パネル１１０ａは、複数の太陽電池セル（不図示）が配列されて電気的に接続された四角形の平板状部材であり、その背面には太陽電池パネル１１０ａと外部負荷とを電気的に接続する端子箱（不図示）が配置されている。また、フレーム１１１は矩形枠状を呈し、太陽電池パネル１１０ａを保持して、第２の太陽電池モジュール１１０の設置時には架台に固定される。
【００２０】
フレーム１１１は、側面部１１４と、側面部１１４の上端から延在する上フランジ部１１１ａと、側面部１１４の下端から延在する下フランジ部１１３と、側面部１１４の上端から概ね太陽電池パネル１１０ａの厚さ分下がった位置から延在する中フランジ部１２２とを有する。側面部１１４、上フランジ部１１１ａ及び中フランジ部１２２に囲まれた部分は、太陽電池パネル嵌合部１２３となっており、太陽電池パネル１１０ａは、太陽電池パネル嵌合部１２３に嵌合されて保持されている。下フランジ部１１３は、第２の太陽電池モジュール１１０を架台等に設置する際に固定のために用いられる。下フランジ部１１３は、側面部１１４の下端から太陽電池パネル１１０ａの中央部に向かって延伸し、下フレーム１１３の底面をなしている。側面部１１４は、第２の太陽電池モジュール１１０のコーナー部の外側面をなしている。
【００２１】
第２の太陽電池モジュール１１０のフレーム１１１の上フランジ部１１１ａは、太陽電池パネル１１０ａに入射する太陽光を遮らないように、太陽電池パネル１１０ａの中央部に向かうにしたがって薄くなるように形成された傾斜面部１１２を有する。
【００２２】
コーナーパッド３０は、側壁部１０７（１０７ａ，１０７ｂ）と天面部１０５とを有する。側壁部１０７ｂは、側壁部１０７ａの延長上に位置している。二つの側壁部１０７は、下方に配置される第１の太陽電池モジュールのフレーム１０１の側面部１０４や、上方に配置される第２の太陽電池モジュールのフレーム１１１の側面部１１４と同様に、直交している。すなわち、二つの側壁部１０７は、直交壁をなしている。天面部１０５は、側壁部１０７の厚さ方向の中央部（概ね中間の高さ）から二つの側壁部１０７で挟まれた角の内側に庇状に張り出している。なお、側壁部１０７ａの高さと側壁部１０７ｂの高さが同じである必要はない。
【００２３】
天面部１０５の下側の面には、第１の太陽電池モジュール１００のフレーム１０１の上フランジ部１０１ａに形成された傾斜面部１０２と対向する傾斜面部１０６ａを有する突起形状１０６が設けられている。すなわち、突起形状１０６は、フレーム１０１の上フランジ部１０１ａの先端部である傾斜面部１０２に面接触して係合する形状である。突起形状１０６が上フランジ部１０１ａの先端部に面接触することにより、コーナーパッド３０は第１の太陽電池モジュールに対してずれにくくなっている。また、側壁部１０７ａの上端には開放された凹状の切り欠き１０８が形成されている。
【００２４】
天面部１０５の上側の面には、下フランジ部１０３の内縁部１０３ａや、下フランジ部１１３の内縁部１１３ａに係合する突起形状の係合部１０９が形成されている。係合部１０９は、下フランジ部１０３よりも若干高い高さまで立ち上がるように立設された立ち上がり部１０９ａと、立ち上がり部１０９ａの上端から側壁部１０７に向かって延在する返し部１０９ｂとを備えている。立ち上がり部１０９ａは、側壁部１０７と平行に形成されており、立ち上がり部１０９ａと側壁部１０７との距離は、下フランジ部１０３の幅寸法とほぼ同じである。したがって、天面部１０５の上面は、便宜上、側壁部１０７に沿う上面視Ｌ字型の段下部１０５ａと、立ち上がり部１０９ａよりも側壁部１０７から離れた段上部１０５ｂとに分けることができる。
【００２５】
コーナーパッド３０は、例えばプラスチック成形で形成される。天面部１０５は、あまり厚すぎると、成形時にヒケが発生したり、平面度が悪くなって第１、第２の太陽電池モジュール１００，１１０と係合させた際に隙間が生じやすくなる。天面部１０５の板厚を３ｍｍ以下とすれば、これらの問題はほぼ発生しない。
【００２６】
次に、太陽電池モジュール１００をパレットなどに積載する手順について説明する。まず、第１の太陽電池モジュール１００のコーナー部にコーナーパッド３０を宛って配置する。第１の太陽電池モジュール１００のコーナー部上面に配置されたコーナーパッド３０は、天面部１０５が太陽電池パネル１００ａと平行に配置され、天面部１０５の下側に形成された突起形状１０６が第１の太陽電池モジュールのフレーム１０１の上面に形成された傾斜面部１０２と接する。また、第１の太陽電池モジュール１００の二つのフレーム１０１の側面部１０４の上端近傍は、側壁部１０７ａに接して覆われる。すなわち、直交壁である側壁部１０７ａが第１の太陽電池モジュール１００のコーナー部の外側面をなす側面部１０４に当接する。これにより、突起形状１０６と側壁部１０７ａとが、第１の太陽電池モジュール１００の上フランジ部１０１ａを挟んだ状態となり、コーナーパッド３０が第１の太陽電池モジュール１００に対して横方向に移動することは規制される。また、第１の太陽電池モジュール１００のコーナー部は、天面部１０５によって上から覆われる。
【００２７】
その後、第１の太陽電池モジュール１００の上方にコーナーパッド３０を介して第２の太陽電池モジュール１１０を配置する。すなわち、第２の太陽電池モジュール１１０の下フランジ部１１３を天面部１０５に載せ受ける。この際、第２の太陽電池モジュール１１０の下フランジ部１１３は、天面部１０５の段下部１０５ａに配置される。立ち上がり部１０９ａの高さは下フランジ部１０３よりも高いため、下フランジ部１０３は、返し部１０９ｂが下フランジ部１０３の先端部である内縁部１１３ａに上から被さる状態で係合部１０９に係合する。また、第２の太陽電池モジュール１１０の二つのフレーム１１１の側面部１１４の下端近傍は、側壁部１０７ｂに接して覆われる。すなわち、直交壁である側壁部１０７ｂが第２の太陽電池モジュール１１０のコーナー部の外側面をなす側面部１１４に当接する。これにより、係合部１０９と側壁部１０７ｂとが、第２の太陽電池モジュール１１０の下フランジ部１１３を挟んだ状態となり、コーナーパッド３０が第２の太陽電池モジュール１１０に対して横方向に移動することは規制される。
【００２８】
このように、コーナーパッド３０は、側壁部１０７ａ及び突起形状１０６によって、第１の太陽電池モジュール１００に対する横ずれが防止される。また、コーナーパッド３０は、側壁部１０７ｂ及び係合部１０９によって第２の太陽電池モジュール１１０に対する横ずれが防止される。
【００２９】
以上のようにして、コーナーパッド３０は、第１の太陽電池モジュール１００のフレームの傾斜面部１０２及び側面部１０４に接し、かつ、第２の太陽電池モジュール１１０の下フランジ１１３の内縁部１１３ａに係合し側面部１１４に接するように、第１の太陽電池モジュール１００と第２の太陽電池モジュール１１０との間に配置される。以降同様の手順を繰り返すことで複数枚の太陽電池モジュールを容易かつ確実に積層することができる。
【００３０】
また、複数枚の太陽電池モジュールを輸送用のパレット１１５に積載した後、コーナーパッドに設けられた切り欠き１０８に締結バンド１３０を係合することにより、輸送条件が厳しくなる遠隔地への輸送や、コンテナヤードなどでの上下振動・衝撃に対してもより確実に荷ずれを防止することができる。図７は、パレット上に積載された二枚の太陽電池モジュールを締結バンドで締結した状態を示す図である。切り欠き１０８に締結バンド１３０を係合することにより、コーナーパッド３０は、第１、第２の太陽電池モジュール１００，１１０に対する縦ずれが防止される。
【００３１】
さらに、コーナーパッド３０の天面部１０５の厚さをプラスチック成形可能な板厚で薄く構成することが可能なため、モジュール間の隙間を小さくすることができる。これにより、輸送用のパレット１１５の上に、より多くの太陽電池モジュールを互いに係合するように積載することが可能となり、一枚当たりの輸送コストを低減することができる。すなわち、天面部１０５の厚さを薄く構成することにより、限られた高さ範囲内により多くの太陽電池モジュールを積載することができる。また、第１、第２の太陽電池モジュール１００，１１０と係合させるに当たってスナップ係合構造が不要であるため、コーナーパッド自体の大きさを小さくすることが可能となり、使用後の廃材を低減することができる。
【００３２】
上記の説明においては、天面部の下面側に設ける突起が上フランジ部の傾斜面部と面接触する傾斜面を有する構成を例としたが、天面部の下面側に設ける突起の形状は必ずしも上フランジ部の先端部と面接触する形状（転写形状）である必要はない。また、上記の説明においては、フレームの上フランジ部に傾斜面部が設けられている構成を例としたが、本発明は、上フランジ部に傾斜面部が設けられていない太陽電池モジュール用の梱包部材としての実施も可能である。上フランジ部に傾斜面部が設けられていない（上フランジ部の断面形状が矩形である）太陽電池モジュール用の梱包部材として実施する場合には、上フランジ部の先端面と当接するように天面部の下側の面に突起を設ける（上フランジ部の幅寸法と同じ距離だけ側壁部から離して突起を設ける）ことで、コーナーパッドの横ずれを防止できる。この場合には、天面部の下面側に設ける突起が、上フランジ部の先端部と面接触しない形状、例えば半球状や円柱状であってもコーナーパッドの横ずれを防止できる。このように、天面部の下面側に設ける突起は、下側に配置される太陽電池モジュールに対するコーナーパッドの横方向の移動を規制することができれば、形状は任意である。
【００３３】
同様に、上側に配置された太陽電池モジュールの下フランジ部と係合する係合部は、立ち上がり部及び返し部を有する構造に限定されることはなく、下フランジ部の横方向の移動を規制できる構造であれば、他の構造とすることが可能である。
【産業上の利用可能性】
【００３４】
以上のように、本発明にかかる太陽電池モジュール用梱包部材は、太陽電池モジュールの梱包及び輸送効率改善に有用である。
【符号の説明】
【００３５】
３０  コーナーパッド、１００  第１の太陽電池モジュール、１００ａ，１１０ａ  太陽電池パネル、１０１，１１１  フレーム、１０１ａ，１１１ａ  上フランジ部、１０２，１０６ａ，１１２  傾斜面部、１０３，１１３  下フランジ部、１０４，１１４  側面部、１０５  天面部、１０５ａ  段下部、１０５ｂ  段上部、１０６  突起形状、１０７，１０７ａ，１０７ｂ  側壁部、１０８  切り欠き、１０９  係合部、１０９ａ  立ち上がり部、１０９ｂ  返し部、１１０  第２の太陽電池モジュール、１２０，１２２  中フランジ部、１２１，１２３  太陽電池パネル嵌合部、１３０  締結バンド。
【図１】
0006012584.tif 000002
【図２】
0006012584.tif 000003
【図３】
0006012584.tif 000004
【図４】
0006012584.tif 000005
【図５】
0006012584.tif 000006
【図６】
0006012584.tif 000007
【図７】
0006012584.tif 000008